(57)【要約】【課題】利用者のレタッチ処理（及び／またはメイク処理）や落書き処理などの好みに適合した編集処理を行うこと。【解決手段】被写体を撮影するカメラ、撮影した被写体像を表示するディスプレイを有する撮影部１と、被写体像に対して編集処理を行う第１と第２の編集部と、編集処理した被写体像を印刷する印刷部と、撮影部、編集部、印刷部を制御する制御部と、を備えた画像プリント装置であって、第１の編集部６はメイク処理及び／又はレタッチ処理の編集処理を行い、第２の編集部２はスタンプ、日付などの落書き処理を行うものであり、撮影部１で撮影し編集画像を編集した後、第１の編集部６、さらに第２の編集部２へと各編集部で実施した編集処理の終了に伴って編集順に次の編集部に移動するように誘導報知すること。【選択図】図１
2006279786.tif 000002
【特許請求の範囲】
【請求項１】
被写体を撮影するカメラ、撮影した被写体像を表示するディスプレイを有する撮影部と、前記被写体像に対して編集処理を行う編集部と、前記編集処理した被写体像を印刷する印刷部と、前記撮影部、前記編集部、前記印刷部を制御する制御部と、を備えた画像プリント装置であって、
前記被写体像に対する編集処理を機能別に分けた複数の編集部を備え、それぞれの編集部において他の編集部とは異なる編集処理を実施し、
各編集部で実施した編集処理の終了によって編集順に次の編集部に移動するように誘導報知する
ことを特徴とする画像プリント装置。
【請求項２】
請求項１記載の画像プリント装置において、
前記複数の編集部は、メイク処理及び／又はレタッチ処理の編集処理を行う第１の編集部と、スタンプ、日付などの落書き処理を行う第２の編集部とからなり、
前記第１の編集部で編集処理した編集画像は前記制御部によって記憶部に一旦格納され、
前記第２の編集部における落書き処理の過程で直前の落書き処理操作を取り消して元の編集画像に戻る場合に、前記記憶部に一旦格納された前記編集画像を呼び出して落書き処理を再開する
ことを特徴とする画像プリント装置。
【請求項３】
被写体を撮影するカメラ、撮影した被写体像を表示するディスプレイを有する撮影部と、前記被写体像に対して編集処理を行う編集部と、前記編集処理した被写体像を印刷する印刷部と、前記撮影部、前記編集部、前記印刷部を制御する制御部と、を備えた画像プリント装置における撮影した被写体像の画像プリント方法であって、
前記被写体像に対する編集処理を機能別に分けた複数の編集部のそれぞれの編集部において他の編集部とは異なる編集処理を実施するステップと、
各編集部で実施した編集処理の終了によって編集順に次の編集部に移動するように誘導報知するステップと、からなる
ことを特徴とする被写体像の画像プリント方法。
【請求項４】
被写体を撮影するカメラ、撮影した被写体像を表示するディスプレイを有する撮影部と、前記被写体像に対して編集処理を行う第１と第２の編集部と、前記編集処理した被写体像を印刷する印刷部と、前記撮影部、前記編集部、前記印刷部を制御する制御部と、を備えた画像プリント装置における撮影した被写体像の編集処理方法であって、
前記被写体像に対する編集処理を行う第１の編集部でメイク処理及び／又はレタッチ処理の編集処理を行うステップと、
前記第１の編集部で編集処理した編集画像を前記制御部によって記憶部に格納するステップと、
前記格納された編集画像に基づいて第２の編集部でスタンプ、日付などの落書き処理の編集処理を行うステップと、
前記第２の編集部における落書き処理の過程で直前の落書き処理操作を取り消して元の編集画像に戻る場合に、前記記憶部に格納された前記編集画像を呼び出して落書き処理を再開するステップと、からなる
ことを特徴とする被写体像の画像プリント方法。
【発明の詳細な説明】
【技術分野】
【０００１】
本発明は、遊技場、遊園地などのアミューズメント施設などで利用者の全身、もしくは上半身を画像撮影するのに最適で、なお、簡易な構成で解像度の高い画像を得る画像プリント装置及び方法に関するものである。
【背景技術】
【０００２】
従来技術として、一般的に、画像プリント装置あるいは写真シール自販機と呼ばれるアミューズメント装置は利用者である被写体をデジタルカメラで撮影し、その撮影画像と利用者が予め選択していた背景（フレーム）画像とを合成した画像をシール紙に印刷する装置が知られている。このような画像プリント装置では、表示装置の表示画面上に落書き用の複数のキャラクタ画像を表示させ、この中から任意の落書き用画像を利用者に選択させ、その選択した落書き用画像を表示画面の任意の位置に配置させることにより、被写体像に落書き用画像が合成された写真シールを出力するように構成されている。
【０００３】
また、従来の画像プリント装置として、被写体を撮影する撮影装置の他に、落書き等を含む編集処理を行う編集装置を２個設け、それぞれの編集装置が独立に並行に編集処理を行うことで、ユーザの利用回転率を向上させ、順番待ちの時間を短縮する技術が提案されている（例えば、特許文献１を参照）。
【特許文献１】特開２００３−３２５８６号公報
【発明の開示】
【発明が解決しようとする課題】
【０００４】
上記従来技術の一般的な画像プリント装置においては、落書きなどの編集処理を行うための編集装置が複数設置されるものではなかった。また、上記特許文献１は、各編集装置の動作乃至機能が同一である編集装置を２台設置した構成例を示すものであり、撮影処理の終了後に、２台の内の特定の１つの編集装置が使用されているか否かをチェックして、使用されていれば他の編集装置を使用するように制御し（他の編集装置を使用するように利用者を他の編集装置側に行くように誘導する制御）、使用されていなければ当該特定の編集装置を使用するというように、使用する編集装置を判断する際に特定の編集装置の使用状況をまず判断してその結果を基に使用の順番付けをして制御するものであった。
【０００５】
したがって、上記の特許文献１では、同一機能を有する各編集装置で同様の編集処理を行わせることを前提にして２台の編集装置を使用するものであり、利用者各人の好みに対応した編集処理を効率的に行うという観点からの配慮に欠けていた。
【０００６】
本発明の目的は、機能の異なる複数の編集装置を設けて順番に編集装置を移動して編集処理を行うことにより、利用者のレタッチ処理（及び／またはメイク処理）や落書き処理などの好みに適合した編集処理を行える画像プリント装置を提供することにある。
【課題を解決するための手段】
【０００７】
前記課題を解決するために、本発明は主として次のような構成を採用する。  
被写体を撮影するカメラ、撮影した被写体像を表示するディスプレイを有する撮影部と、前記被写体像に対して編集処理を行う編集部と、前記編集処理した被写体像を印刷する印刷部と、前記撮影部、前記編集部、前記印刷部を制御する制御部と、を備えた画像プリント装置であって、
前記被写体像に対する編集処理を機能別に分けた複数の編集部を備え、それぞれの編集部において他の編集部とは異なる編集処理を実施し、
各編集部で実施した編集処理の終了によって編集順に次の編集部に移動するように誘導報知する構成とする。
【０００８】
また、前記画像プリント装置において、前記複数の編集部は、メイク処理及び／又はレタッチ処理の編集処理を行う第１の編集部と、スタンプ、日付などの落書き処理を行う第２の編集部とからなり、
前記第１の編集部で編集処理した編集画像は前記制御部によって記憶部に一旦格納され、
前記第２の編集部における落書き処理の過程で直前の落書き処理操作を取り消して元の編集画像に戻る場合に、前記記憶部に一旦格納された前記編集画像を呼び出して落書き処理を再開する構成とする。
【発明の効果】
【０００９】
本発明によると、使用する編集装置が１つの場合に比べて長いレタッチ処理（及び／またはメイク処理）や落書き時間を獲得することができ、さらに、複数の編集装置間を移動することでレタッチ処理（及び／またはメイク処理）や落書き処理などの編集処理を楽しむことができる。
【００１０】
また、機能の異なる編集装置を使い分けることによって、好みに応じた編集処理に時間に費やすことができ、さらに、利用者の編集趣向に適合させることができ、使い勝手を良くすることができる。
【発明を実施するための最良の形態】
【００１１】
本発明の実施形態に係る画像プリント装置について、図１〜図９を参照しながら以下詳細に説明する。図１は本発明の実施形態に係る画像プリント装置の基本的構成を示す見取図である。図２は本発明の実施形態に係る画像プリント装置の基本的構成を示す内部の側面図である。図３は本発明の実施形態に係る画像プリント装置の基本的構成を示す内部の上面図である。
【００１２】
各図面で示される、１は本体部筐体、２，６は編集部筐体、３は床面、４は背面部筐体、５は通路、７は写真シール排出口、８は屋根部、９Ａ，９Ｂ，１０Ａ，１０Ｂは通路、１１Ａ，１１Ｂ，１１Ｃはストロボ、をそれぞれ表す。
【００１３】
図１に示すように本実施形態に係る画像プリント装置は、その両側部は開口し、利用者がいずれの方向からも出入りできる構造となっており、遮光性素材を用いたカーテンで仕切られている。
【００１４】
本実施形態に係る画像プリント装置は本体部筐体１と、編集部筐体２，６と、背面部筐体４と、床板３と、屋根部８とから構成され、本体部筐体１と背面部筐体４とは床板３および屋根部８の結合部材によって所定間隔の距離を隔てて結合されている。背面部筐体４と編集部筐体２，６は背中合わせに結合されている。本体部筐体１と背面部筐体４との間の空間は、複数もしくは単体の被写体が本体部筐体１に入室可能となる通路５となるものであり、図１の奥行き方向に通過可能となっている。
【００１５】
利用者は撮影後、通路９Ａを通り、編集部筐体６へ移動し、通路９Ｂを通って編集部筐体２へ移動する。その後、通路９Ｃを通って、編集部筐体２の側面にある写真シール排出口７へ移動できる。各図で示される画像プリント装置内には撮影対象の被写体を収容可能な空間を有する撮影室を有している。この撮影室には入室した被写体の背面側から照明光を照射する背面照明装置が設けられても構わない。
【００１６】
次に、図４は本発明の実施形態に係る画像プリント装置における本体部筐体の構成を示す見取図である。図５は本実施形態に係る画像プリント装置における本体部筐体の具体的構成を示す正面図である。図６は本実施形態に係る画像プリント装置における編集部筐体の具体的構成を示す正面図である。
【００１７】
各図面において、１３はスイッチパネル、１４，２４Ａ，２４Ｂはキャスター、１５は液晶モニタ、１６はタッチペン、１７，２６Ａ，２６Ｂはスピーカ、１８はデジタルカメラ、１９，２７Ａ，２７Ｂはタッチパネル付きディスプレイ、２０は課金装置、２１はストロボ用電源、２２はプリンタ、２３はＵＰＳ（無停電電源装置）、２５Ａ，２５Ｂはライト、２８Ａ，２８Ｂはタッチペン、２９はパーソナルコンピュータ、をそれぞれ表す。
【００１８】
図４と図５において、本体部筐体1の正面ほぼ中央には被写体を撮影するデジタルカメラ１８が設置されている。また、本体部筐体１の上部および左右にはストロボ１１Ａ〜１１Ｃが設置されている。このストロボ１１Ａ〜１１Ｃはデジタルカメラ１８で被写体を撮影するときのみ発光し、その光の強さにより撮影する画像の明るさを調整可能になっている。
【００１９】
また、上方および左右には、常時点灯し、操作中の利用者の周囲を照らすライト１２Ａ〜１２Ｃが設置されている。また、デジタルカメラ１８の下方には、被写体を撮影するときに、実際に写っている画像を確認するための液晶モニタ１５が設置されている。利用者は撮影のときに液晶モニタ１５に表示される自分の像を見ながら、立つ位置やポーズ、顔の位置などを調整、確認する。
【００２０】
本体部筐体１の胴部付近には、撮影の操作画面や進行状況、ガイダンスなどを表示するタッチパネル付きディスプレイ１９が設けられている。利用者が入力装置を構成するタッチペン１６でタッチパネル面のアイコンなどをタッチすると、タッチパネル付きディスプレイ１９はその位置を検出し、接触位置に表示したアイコンに割り当てられた機能または動作を開始する。この他に、スピーカ１７、課金装置２０、さらに本体部筐体１の内部にスイッチパネル１３、ストロボ用電源２１が設けられている。
【００２１】
図６において編集部筐体２，６には落書きの操作画面や進行状況やガイダンスなどを表示するタッチパネル付きディスプレイ２７Ａ，２７Ｂと、タッチペン２８Ａ，２８Ｂと、周囲を照らすライト２５Ａ，２５Ｂと、スピーカ２６Ａ，２６Ｂと、キャスター２４Ａ，２４Ｂとが設けられている。さらに、編集部筐体２の内部にパーソナルコンピュータ２９と、プリンタ２２と、ＵＰＳ（無停電電源装置）２３とが設けられている。
【００２２】
スピーカ１７および２６Ａ，２６Ｂは操作中の音楽やガイダンスの音声を出力する。課金装置２０は利用料金の投入を受け付けて収納する。無料設定時を考慮し、取り外し可能なものとなっている。ストロボ用電源２１はストロボ１１Ａ〜１１Ｃに対して利用者が選択した明るさに応じた電力を供給する。
【００２３】
パーソナルコンピュータ２９（以下、ＰＣと記す）は、撮影制御、撮影画像を加工または編集し利用者に落書き機能を提供する画像編集処理、印刷制御としての機能を有する。プリンタ２２は画像を所定の用紙に印刷して出力する。ＵＰＳ２３は停電時にも電源供給をする無停電電源装置である。キャスター１４および２４Ａ，２４Ｂは本体部筐体１の移動時に使用し、位置決定後はロックする。スイッチパネル１３はテスト用のスイッチやボリュームスイッチを固定したパネルである。  
次に、図７は本発明の実施形態に係る画像プリント装置の機能乃至動作を示す構成ブロック図である。図７において本実施形態に係る画像プリント装置は、全体の制御を行うパーソナルコンピュータ（ＰＣ）２９を備え、このＰＣ２９は、ＣＰＵ（中央処理装置）２０１、メモリ２０２、Ｉ／Ｏ制御部２０３、音声出力部２０４、データ記憶部２０５、画像処理部２０６、画像出力部２０７から構成されている。これらの構成要素は図示されたようにＣＰＵ２０１にそれぞれ接続されている。Ｉ／Ｏ制御部２０３は、デジタルカメラＩ／Ｆ（インタフェース）２０８、タッチパネル３９、タッチパネル３７Ａ，３７Ｂ、課金装置２０、ストロボ用電源２１に接続され、これらの構成要素の制御を行う。
【００２４】
ＣＰＵ２０１は、デジタルカメラＩ／Ｆ（インタフェース）２０８からの圧縮ディジタル信号を受信し、被撮影者の全身画像の輪郭を抽出し、その撮影された全身画像の歪み補正を行い、利用者が画像編集を行なった後に、プリンタ２２ヘプリント出力処理を行なう。メモリ２０２には、カメラ１８から取り込んだ画像データが記憶されるほか、ＣＰＵ２０１に発する命令と画像プリント装置の制御手順となる命令群がプログラムとして記憶されている。また、メモリ２０２には、ＣＰＵ２０１の処理データもワークデータとして一時的に記憶する。
【００２５】
音声出力部２０４は音声再生用のスピーカ１７および２６Ａ，２６Ｂに接続し、利用者に対してガイドや音楽、効果音などを再生する。データ記憶部２０５には、被写体の画像と重ね合せる合成画像データ、タッチパネル付きディスプレイ１９および２７Ａ，２７Ｂに表示する操作メニューのガイドが記憶されている。
【００２６】
画像処理部２０６は、メモリ２０２に記憶させた被写体の画像データとデータ記憶部２０５にある合成画像データを合成・編集するための処理が行われる。また、画像出力部２０７は、タッチパネル付きディスプレイ１９および２７Ａ，２７Ｂ、プリンタ２２に接続されている。タッチパネル付きディスプレイ１９および２７Ａ，２７Ｂは利用者に対する説明や操作のための画面を表示する。プリンタ２２は撮影・編集した画像を葉書もしくはシールに印刷する。
【００２７】
Ｉ／Ｏ制御部２０３は、デジタルカメラＩ／Ｆ（インタフェース）２０８に接続し、カメラ１８で撮影した画像データを受け付ける。また、Ｉ／Ｏ制御部２０３はタッチパネル３９および３７Ａ，３７Ｂからの操作データを受け付ける。タッチパネル３９および３７Ａ，３７Ｂは、それぞれタッチパネル付きディスプレイ１９および２７Ａ，２７Ｂの表示画面表面に設けられた液晶パネルであり、表示画面に操作メニューなどを表示し、種々の選択条件を押圧操作によって入力するために使用するものである。
【００２８】
Ｉ／Ｏ制御部２０３は課金装置２０に接続され、コインの投入の有無や、不正コインの投入などをＣＰＵ２０１からの制御に従って検知する。投入されたコインの形状と重さを計測し、真正コインではないコインに対し、さらにコインの表裏の模様を判定し、投入されたコインが真正コインか、不正コインや偽造コインであるかどうかを判別する。Ｉ／Ｏ制御部２０３はストロボ用電源２１を制御し、ストロボ１１Ａ〜Ｃに対して電圧を加え、発光面全体を一様に発光させる。
【００２９】
図８は本発明の実施形態に係る画像プリント装置における撮影、撮影画像の編集、印刷の処理手順を示すフローチャートである。図９は本発明の実施形態に係る画像プリント装置における編集画像の編集例と色変換グラフによる色補正の例を示す図である。
【００３０】
まず、本実施形態に係る画像プリント装置の管理側の設定として、電源を投入し、この電源投入で機器動作確認として蛍光灯照明機器の点灯確認、ＰＣの起動確認が行われ、カメラ撮影準備としてシャッタースピード、絞りの設定が行われ、さらにプリンタの印刷準備、ウオームアップが開始される。
【００３１】
ステップ８０１での初期設定が終わると、顧客操作を受け入れるためのデモが開始され、画像プリント装置の紹介、操作手順のデモが行われる（ステップ８０２）。実際に利用者が本体部筐体１の撮影装置を使い、撮影を開始するために規定枚数のコインが投入されると、撮影を行うための処理手順が画面上に表示される。ステップ８０３で利用者は撮影の際の明るさを選択する。その際に利用者はタッチパネル３９に対してタッチペン１６でタッチすることで選択を行う。このとき、利用者の選択に応じた明るさはストロボ用電源２１に設定される。
【００３２】
ステップ８０４で撮影が行われ、このときに利用者が選択した明るさでストロボが発光する。撮影後は撮影した画像をＰＣ内のデータ記憶部２０５に保存する（ステップ８０５）、その後再びステップ８０４の撮影に戻り、４枚撮影するまでこれを繰り返す。
【００３３】
撮影画像が４枚保存されたところで利用者は編集・印刷する画像を選択する(ステップ８０６) 。選択後、利用者は第１の編集部筐体６へ移動し、背景合成処理、顔や髪の毛のメイク処理、全体の色補正処理などを行なう（ステップ８０７）。このとき、次の利用者は本体部筐体１で撮影を行なうことができる。第１の編集部筐体６で編集した後、利用者は第２の編集部筐体２へ移動し、画像に対して任意の線を描画したり、ゲームに予め登録されている絵、スタンプ、前景フレームを合成することができる（ステップ８０８）。
【００３４】
ここにおいて、ステップ８０６で本体部筐体１による編集画像の選択が行われると、ディスプレイまたはスピーカを通して第１の編集部筐体６（メイク処理及び／又はレタッチ処理を実施）へ移動するように誘導表示または誘導報知するように、ＰＣ２９が制御する。次に、第１の編集部筐体６で第１の編集処理が終了すると（終了タイミングは規定時間の終了や利用者による任意の終了意志に基づく終了操作でよい）、第１の編集処理を行った編集画像をデータ記憶部２０５又はメモリ２０２に一旦格納しておく。ＰＣ２９は第１の編集処理の終了を検知することによって、第２の編集部筐体２へ移動するように誘導表示又は誘導報知する。
【００３５】
第２の編集部筐体２ではスタンプや日付などの落書き処理（この第２の編集処理は第１の編集部筐体と異なる編集処理である）を実施する。第２の編集処理を実施している最中に直前の落書き処理操作を取り消して元の編集画面に戻る場合、先の第１の編集部筐体で編集処理して格納しておいた編集画像を呼び出すことによって、この編集画像に基づき再度落書き処理を再開することができる。
【００３６】
図９に本実施形態に関する画像の編集サンプルを示す。画像９０１は撮影後の画像である。画像９０２は画像９０１を第１の編集部筐体６で編集した（ステップ８０７）画像で、全体の色を補正（ステップ８０７の全体の色補正処理）し、背景フレームを追加（ステップ８０７の背景フレーム合成処理）し、髪の毛を書き足し（ステップ８０７の顔や髪の毛のメイク処理）ている。
【００３７】
また、図９の符号９０４は色補正の例で色変換のグラフを表している。この例では黒はより黒く、白はより白くなるように変換している。また、画像９０３は画像９０２を第２の編集部筐体２で編集した（ステップ８０８）画像であり、日付やスタンプを描画しており、編集処理終了後の画像となる。
【００３８】
図８と図９について、さらに詳しく説明すると、撮影した複数の撮影画像の中から１つまたは複数の編集画像を選択して（ステップ８０６）、この選択した編集画像に対して印刷画像を生成するまでに至る全ての編集処理の内で、大きく２つの編集処理段階に分け、その第１の編集処理（ステップ８０７）として、通常為される編集処理、例えば、顔や髪の毛のメイク処理、背景フレームの付加、全体の色補正等のメイク処理やレタッチ処理を行うステップとして位置付ける。そして、第２の編集処理（ステップ８０８）として、通常、編集処理されるとは限らない特殊な編集処理、例えば、日付やスタンプなどの落書き処理を行うステップとして位置付ける。
【００３９】
そして、第１の編集処理が終了した段階で、編集画像を一旦確定させてメモリやデータ記憶部に編集原画像として記憶させておく。そうすることによって、第２の編集処理の過程で複雑な復元作業を要することなく、この編集原画像を読み出してこれを出発点として再度第２の編集処理を容易にやり直すことができる。
【００４０】
このように、レタッチ処理やメイク処理を行う第１の編集処理と落書き処理を行う第２の編集処理を分けて時系列的に実行するようにコンピュータで制御することによって、落書き処理を欲しない利用者にとっては、規定の編集処理時間をすべてメイク処理などに使うことができ、利用者の好みに合わせた編集処理を行うことができる。規定された編集処理時間を第１の編集処理と第２の編集処理にどのように時間配分して（振り分けて）編集するかの楽しみを利用者に与えることができる。
【００４１】
第１の編集処理と第２の編集処理でどのような具体的処理をさせるかは、上述のような一般的な通常処理と特殊処理に分けることも一例であり、それぞれの編集処理内の具体的処理が互いに関連するものであるように仕分けしても良い。すなわち、編集の機能の類似性に着目して第１と第２の編集処理を分けても良い。
【００４２】
落書きが終了したら印刷する際のレイアウト選択へ移行する（ステップ８０９）。レイアウト選択後、編集した画像をプリンタで印刷する（ステップ８１０）。利用者は第２の編集部筐体２の側面へ移動し、印刷を待つ。印刷処理終了後（ステップ８１１）、オープニング画面（ステップ８０１）へ戻る。
【図面の簡単な説明】
【００４３】
【図１】本発明の実施形態に係る画像プリント装置の基本的構成を示す見取図である。
【図２】本発明の実施形態に係る画像プリント装置の基本的構成を示す内部の側面図である。
【図３】本発明の実施形態に係る画像プリント装置の基本的構成を示す内部の上面図である。
【図４】本発明の実施形態に係る画像プリント装置における本体部筐体の構成を示す見取図である。
【図５】本実施形態に係る画像プリント装置における本体部筐体の具体的構成を示す正面図である。
【図６】本実施形態に係る画像プリント装置における編集部筐体の具体的構成を示す正面図である。
【図７】本発明の実施形態に係る画像プリント装置の機能乃至動作を示す構成ブロック図である。
【図８】本発明の実施形態に係る画像プリント装置における撮影、撮影画像の編集、印刷の処理手順を示すフローチャートである。
【図９】本発明の実施形態に係る画像プリント装置における編集画像の編集例と色変換グラフによる色補正の例を示す図である。
【符号の説明】
【００４４】
１  本体部筐体
２，６  編集部筐体
３  床面
４  背面部筐体
５  通路
７  写真シール排出口
８  屋根部
９Ａ，９Ｂ，９Ｃ  通路
１１Ａ，１１Ｂ，１１Ｃ  ストロボ
１２Ａ，１２Ｂ，１２Ｃ，２５Ａ，２５Ｂ  ライト
１３  スイッチパネル
１４，２４Ａ，２４Ｂ  キャスター
１５  液晶モニタ
１６  タッチペン
１７，２６Ａ，２６Ｂ  スピーカ
１８  デジタルカメラ
１９，２７Ａ，２７Ｂ  タッチパネル付きディスプレイ
２０  課金装置
２１  ストロボ用電源
２２  プリンタ
２３  ＵＰＳ（無停電電源装置）
２８Ａ，２８Ｂ  タッチペン
２９  パーソナルコンピュータ
３７Ａ，３７Ｂ，３９  タッチパネル
【図１】
2006279786.tif 000003
【図２】
2006279786.tif 000004
【図３】
2006279786.tif 000005
【図４】
2006279786.tif 000006
【図５】
2006279786.tif 000007
【図６】
2006279786.tif 000008
【図７】
2006279786.tif 000009
【図８】
2006279786.tif 000010
【図９】
2006279786.tif 000011